(57)【要約】  【課題】  使用者の負担を軽減できる冷蔵庫を提供する。  【解決手段】  貯蔵室１０の前面に配されて断熱材６が充填される扉２と、扉２の上下端を覆う樹脂成形品から成るドアキャップ４、５と、扉２の前面に突出してドアキャップ５と一体に設けられる脚部９ａを水平方向の両端に有するとともに脚部９ａ間に橋架される把持部９ｂを把持して扉２を開閉するハンドル９と、扉２の前面から突出してハンドル９の下方に配されるとともにドアキャップ５と一体に形成して物品が載置される載置部８とを備えた。【選択図】      図１
2006329461.tif 000002
【特許請求の範囲】
【請求項１】
貯蔵室の前面に配されて断熱材が充填される扉と、前記扉の上下端を覆うドアキャップと、前記扉の前面に突出して水平方向の両端に設けられる脚部と前記脚部間に橋架される把持部とを有して前記把持部を把持して前記扉を開閉するハンドルと、前記扉の前面から突出して前記ハンドルの下方に配されるとともに前記ドアキャップと一体に形成して物品が載置される載置部とを備えたことを特徴とする冷蔵庫。
【請求項２】
前記ハンドルと前記ドアキャップとを一体に形成したことを特徴とする請求項１に記載の冷蔵庫。
【請求項３】
前記把持部と前記載置部との間の前面に開口部を設けたことを特徴とする請求項１または請求項２に記載の冷蔵庫。
【請求項４】
前記開口部を開閉する前面カバーを設けたことを特徴とする請求項３に記載の冷蔵庫。
【請求項５】
前記扉と前記把持部との間の上面の一部を開閉する上面カバーを設けたことを特徴とする請求項４に記載の冷蔵庫。
【請求項６】
前記載置部を仕切る仕切板を設けたことを特徴とする請求項１〜請求項５のいずれかに記載の冷蔵庫。
【請求項７】
前記ハンドルにより前記仕切板をスライド案内したことを特徴とする請求項６に記載の冷蔵庫。
【請求項８】
前記載置部の前面に物品を掛着するフックを設けたことを特徴とする請求項１〜請求項７のいずれかに記載の冷蔵庫。
【発明の詳細な説明】
【技術分野】
【０００１】
本発明は、貯蔵室の扉を開閉するハンドルを有した冷蔵庫に関する。
【背景技術】
【０００２】
従来の冷蔵庫は特許文献１に開示されている。図１２はこの冷蔵庫の冷蔵室を開閉する扉の正面図を示している。また、図１３は図１２のＨ−Ｈ断面図を示している。扉１０２の正面及び側面には鋼板を屈曲した扉外板１０２ａが設けられる。扉１０２の背面には樹脂成形品から成る扉内板１０２ｂが設けられる。
【０００３】
扉内板１０２ｂの周部には可撓性部材から成るガスケット１０７が設けられる。ガスケット１０７により冷蔵庫の本体部と扉１０２の間が密閉される。扉１０２の上下端には扉外板１０２ａに被嵌された樹脂成形品から成るドアキャップ１０４、１０５が設けられる。扉外板１０２ａ、ドアキャップ１０４、１０５及び扉内板１０２ｂに囲まれた領域に発泡樹脂等から成る断熱材１０６が充填される。
【０００４】
扉１０２の下部の図中、左方に偏った位置にはハンドル１１０が設けられる。ハンドル１１０は扉外板１０２ａの内面側に設けられた補強用鉄板１０８にネジ１０９により固定される。扉１０２は図中、右側が本体部に枢支され、ハンドル１１０を把持して引くことにより回動して開くことができる。
【０００５】
また、吸盤や磁石等で扉１０２の前面に取り付けできる収納部材が市販されている。これにより、筆記具や調理器具等の物品を収納部材に収納して適時取り出すことができ、冷蔵庫の利便性が向上する。
【０００６】
【特許文献１】特開平１０−４７８４２号公報（第２頁−第３頁、第２図）
【発明の開示】
【発明が解決しようとする課題】
【０００７】
しかしながら、上記従来の冷蔵庫によると、筆記具や調理器具等の物品を収納するために使用者が収納部材を別途購入する必要があり、使用者の労力やコストの負担がかかる問題があった。
【０００８】
本発明は、使用者の負担を軽減できる冷蔵庫を提供することを目的とする。
【課題を解決するための手段】
【０００９】
上記目的を達成するために本発明は、貯蔵室の前面に配されて断熱材が充填される扉と、前記扉の上下端を覆うドアキャップと、前記扉の前面に突出して水平方向の両端に設けられる脚部と前記脚部間に橋架される把持部とを有して前記把持部を把持して前記扉を開閉するハンドルと、前記扉の前面から突出して前記ハンドルの下方に配されるとともに前記ドアキャップと一体に形成して物品が載置される載置部とを備えたことを特徴としている。
【００１０】
この構成によると、扉内には断熱材が充填され、上下端はドアキャップで覆って塞がれる。ハンドルの把持部を把持して引くことにより扉が開かれる。ハンドルの下方にはドアキャップと一体の載置部が設けられ、載置部に筆記具や調理器具等の物品が収納される。この時、ハンドルによって載置部に載置した物品を支持して物品の転倒が防止される。扉の下端に配されるドアキャップと載置部とを一体に形成してもよく、扉の上端に配されるドアキャップと載置部とを一体に形成してもよい。
【００１１】
また本発明は、上記構成の冷蔵庫において、前記ハンドルと前記ドアキャップとを一体に形成したことを特徴としている。
【００１２】
また本発明は、上記構成の冷蔵庫において、前記把持部と前記載置部との間の前面に開口部を設けたことを特徴としている。この構成によると、把持部と扉との間の上方から物品が載置部に載置されるとともに、開口部を介して前方から物品が載置部に載置される。
【００１３】
また本発明は、上記構成の冷蔵庫において、前記開口部を開閉する前面カバーを設けたことを特徴としている。この構成によると、前面カバーを開いて前方から物品が載置部に載置される。
【００１４】
また本発明は、上記構成の冷蔵庫において、前記扉と前記把持部との間の上面の一部を開閉する上面カバーを設けたことを特徴としている。この構成によると、上面カバーを開いて上方から物品が載置部に載置され、上面カバーが設けられない部分に手指を挿入して把持部が把持される。
【００１５】
また本発明は、上記構成の冷蔵庫において、前記載置部を仕切る仕切板を設けたことを特徴としている。この構成によると、仕切板により分けて物品が収納される。
【００１６】
また本発明は、上記構成の冷蔵庫において、前記ハンドルにより前記仕切板をスライド案内したことを特徴としている。載置部に載置される物品の大きさに応じて仕切部をスライドして位置が可変される。
【００１７】
また本発明は、上記構成の冷蔵庫において、前記載置部の前面に物品を掛着するフックを設けたことを特徴としている。
【発明の効果】
【００１８】
本発明によると、ドアキャップと一体の載置部をハンドルの下方に設けたので、使用者が収納部材を別途購入する必要がなく物品を収納することができる。これにより、使用者の労力の負担を軽減することができる。また、ドアキャップと載置部とを一体成形すると冷蔵庫のコストが増加せず、使用者のコスト負担を軽減することができる。加えて、ハンドルの支持により高さの高い物品も収納することができ、冷蔵庫の利便性を向上することができる。
【００１９】
また本発明によると、ハンドルとドアキャップとを一体に形成したので、ハンドルを容易に取り付けることができ、冷蔵庫のコストを削減することができる。
【００２０】
また本発明によると、把持部と載置部との間の前面に開口部を設けたので、前方及び上方から物品を載置部に載置することができ、冷蔵庫の利便性が向上する。
【００２１】
また本発明によると、把持部と載置部との間の開口部を開閉する前面カバーを設けたので、載置部に収納された物品の脱落を防止できるとともに載置部への塵埃の侵入を低減できる。
【００２２】
また本発明によると、扉と把持部との間の上面の一部を開閉する上面カバーを設けたので、把持部を把持する際の操作性を低下させることなく載置部への塵埃の侵入を低減できる。
【００２３】
また本発明によると、載置部を仕切る仕切板を設けたので、物品を区分けして収納することができ、冷蔵庫の利便性が向上する。
【００２４】
また本発明によると、ハンドルにより仕切板をスライド案内したので、部品点数を増加させることなく物品を大きさに応じて区分けして収納することができ、冷蔵庫の利便性が向上する。
【００２５】
また本発明によると、載置部の前面に物品を掛着するフックを設けたので、冷蔵庫の利便性が向上する。
【発明を実施するための最良の形態】
【００２６】
以下に本発明の実施形態を図面を参照して説明する。図１は第１実施形態の冷蔵庫の要部を示す正面図である。また、図２、図３、図４はそれぞれ図１のＡ−Ａ断面図、Ｂ−Ｂ断面図、Ｃ−Ｃ断面図である。本実施形態は、上段に冷凍室１０が配され、下段に冷蔵室１１が配された冷蔵庫１の場合を示している。その上段の冷凍室１０の前面は扉２により開閉可能になっている。扉２の正面及び側面には鋼板を屈曲した扉外板２ａが設けられる。扉２の背面には樹脂成形品から成る扉内板２ｂが設けられる。
【００２７】
扉内板２ｂの周部には可撓性部材から成るガスケット７が設けられる。ガスケット７により冷蔵庫１の本体部（不図示）と扉２の間が密閉される。扉２の上下端は扉外板２ａに被嵌された樹脂成形品から成るドアキャップ４、５が設けられる。扉外板２ａ、ドアキャップ４、５及び扉内板２ｂで囲まれた領域に発泡樹脂等から成る断熱材６が充填される。
【００２８】
下方のドアキャップ５の上部にはネジ１８によりハンドル９が取り付けられている。ハンドル９は両端に脚部９ａを有し、脚部９ａ間に把持部９ｂが橋架されている。把持部９ｂを把持して引くことにより、一端が枢支された扉２を回動して開閉することができる。
【００２９】
ハンドル９の下方には前面に突出する載置部８がドアキャップ５と一体成形されている。載置部８は前壁８ａ及び側壁８ｂを有し、筆記具や調理器具等の物品を載置して収納することができる。また、前壁８ａとハンドル９との間の前面には開口部８ｃが設けられる。これにより、把持部９ｂと扉２の前面との間の上方から物品を載置部８に載置できるとともに、開口部８ｃを介して前方から載置部８に物品を載置できる。従って、冷蔵庫１の利便性が向上する。
【００３０】
本実施形態によると、筆記具や調理器具等の物品を収納する載置部８を設けたので、使用者が別途収納部材を購入する必要がなく、使用者の労力の負担を軽減することができる。また、ドアキャップ５と載置部８とを一体成形するため冷蔵庫１のコストが上昇せず、使用者のコスト負担を軽減することができる。
【００３１】
加えて、載置部８がハンドル９の下方に設けられるので、ハンドル９により高さの高い物品Ｗの転倒を防止できる。このため、高さの高い物品Ｗを収納可能になり、冷蔵庫１の利便性を向上することができる。
【００３２】
次に、図５は第２実施形態の冷蔵庫の扉を示す正面図である。また、図６、図７はそれぞれ図５のＦ−Ｆ断面図、Ｇ−Ｇ断面図である。説明の便宜上、前述の図１〜図４に示す第１実施形態と同一の部分は同一の符号を付している。本実施形態は前面カバー１２、上面カバー１３、仕切壁１５、仕切板１６、フック１４が設けられている。その他の構成は第１実施形態と同様である。
【００３３】
前面カバー１２はヒンジ部１２ａでハンドル９の把持部９ｂに枢支され、把持部９ｂと載置部８との間の前面の開口部８ｃを開閉する。これにより、載置部８に収納された物品の脱落を防止できるとともに載置部８への塵埃の侵入を低減できる。
【００３４】
上面カバー１３はヒンジ部（不図示）でドアキャップ５に枢支され、扉２と把持部９ｂとの間の上面の一部を開閉する。これにより、載置部８への塵埃の侵入をより低減できる。また、把持部９ｂの上面カバー１３を設けていない部分を容易に把持することができ、把持部９ｂを把持して扉２を開く際の操作性を低下させることがない。
【００３５】
仕切壁１５は上面カバー１３に隣接してドアキャップ５の前面に突設される。これにより、上面カバー１３を開いて挿入される高さの高い物品を支持して該物品の転倒を防止することができる。仕切壁１５をハンドル９と一体に設けてもよい。また、仕切壁１５を把持部９ｂよりも下方に延びて設けると背の低い物品も支持することができる。加えて、仕切壁１５を載置部８まで下方に延びて設けると側方から載置部８への塵埃の侵入を低減できる。
【００３６】
仕切板１６は把持部９ｂに形成したレール部１７と係合してスライド自在に支持され、把持部９ｂよりも下方に延びて設けられる。仕切板１６を設けたので物品を区分けして収納でき、仕切板１６をスライド移動可能にしたので物品を大きさに応じて区分けして収納することができる。従って、冷蔵庫１の利便性が向上する。また、ハンドル９により仕切板１６を支持したので、別途案内部材を設けることなく仕切板１６をスライド案内できる。
【００３７】
フック１４は載置部８の前面に設けられ、収納用袋等の物品を掛着できる。これにより、フックを別途購入する必要がなく、使用者の負担を更に軽減することができる。
【００３８】
次に、図８は第３実施形態の冷蔵庫を示す正面図である。説明の便宜上、前述の図１〜図４に示す第１実施形態と同一の部分は同一の符号を付している。冷蔵庫１は上段に冷凍室１０が配され、下段に冷蔵室１１が配される。冷蔵室１１の前面は扉２０により開閉可能になっている。
【００３９】
図９、図１０、図１１はそれぞれ扉２０の上面図、図８のＤ−Ｄ断面図、Ｅ−Ｅ断面図である。扉２０の正面及び側面には鋼板を屈曲した扉外板２０ａが設けられる。扉２０の背面には樹脂成形品から成る扉内板２０ｂが設けられる。扉内板２０ｂの周部には可撓性部材から成るガスケット７が設けられる。ガスケット７により冷蔵庫１の本体部と扉２０の間が密閉される。扉２０の上下端は扉外板２０ａに被嵌された樹脂成形品から成るドアキャップ４、５が設けられる。扉外板２０ａ、ドアキャップ４、５及び扉内板２０ｂで囲まれた領域に発泡樹脂等から成る断熱材６が充填される。
【００４０】
上方のドアキャップ４の上部にはネジ１８によりハンドル９が取り付けられている。ハンドル９は両端に脚部９ａを有し、脚部９ａ間に把持部９ｂが橋架されている。把持部９ｂを把持して引くことにより、一端が枢支された扉２０を回動して開閉することができる。
【００４１】
ハンドル９の下方には前面に突出する載置部８がドアキャップ４と一体成形されている。載置部８は前壁８ａ及び側壁８ｂを有し、筆記具や調理器具等の物品を載置して収納することができる。また、前壁８ａとハンドル９との間の前面には開口部８ｃが設けられる。これにより、把持部９ｂと扉２０の前面との間の上方から物品を載置部８に載置できるとともに、開口部８ｃを介して前方から載置部８に物品を載置できる。従って、冷蔵庫１の利便性が向上する。
【００４２】
本実施形態によると、第１実施形態と同様に、筆記具や調理器具等の物品を収納する載置部８を設けたので、使用者が別途収納部材を購入する必要がなく、使用者の労力の負担を軽減することができる。また、ドアキャップ４と載置部８とを一体成形するため冷蔵庫１のコストが上昇せず、使用者のコスト負担を軽減することができる。
【００４３】
加えて、載置部８がハンドル５の下方に設けられるので、ハンドル９により高さの高い物品Ｗの転倒を防止できる。このため、高さの高い物品Ｗを収納可能になり、冷蔵庫１の利便性を向上することができる。また、第２実施形態と同様に、前面カバー１２、上面カバー１３、仕切壁１５、仕切板１６或いはフック１４を設けてもよい。
【００４４】
第１〜第３実施形態において、冷蔵庫１の本体部に枢支される回動可能な扉２、２０について説明しているが、前面に引き出してスライド移動する扉にハンドル９及び載置部８を設けてもよい。
【産業上の利用可能性】
【００４５】
本発明によると、貯蔵室の前面を開閉する扉を有する家庭用及び業務用の冷蔵庫に利用することができる。
【図面の簡単な説明】
【００４６】
【図１】本発明の第１実施形態の冷蔵庫の要部を示す正面図
【図２】図１のＡ−Ａ断面図
【図３】図１のＢ−Ｂ断面図
【図４】図１のＣ−Ｃ断面図
【図５】本発明の第２実施形態の冷蔵庫の扉を示す正面図
【図６】図５のＦ−Ｆ断面図
【図７】図５のＧ−Ｇ断面図
【図８】本発明の第３実施形態の冷蔵庫の扉を示す正面図
【図９】本発明の第３実施形態の冷蔵庫の扉を示す上面図
【図１０】図８のＤ−Ｄ断面図
【図１１】図８のＥ−Ｅ断面図
【図１２】従来の冷蔵庫の扉を示す正面図
【図１３】図１２のＨ−Ｈ断面図
【符号の説明】
【００４７】
１    冷蔵庫
２、２０、１０２  扉
４、５、１０４、１０５  ドアキャップ
６、１０６  断熱材
８    載置部
９、１１０    ハンドル
９ａ  脚部
９ｂ  把持部
１０    冷凍室
１１    冷蔵室
１２    前面カバー
１３    上面カバー
１５    仕切壁
１６    仕切板
１７    レール部
【図１】
2006329461.tif 000003
【図２】
2006329461.tif 000004
【図３】
2006329461.tif 000005
【図４】
2006329461.tif 000006
【図５】
2006329461.tif 000007
【図６】
2006329461.tif 000008
【図７】
2006329461.tif 000009
【図８】
2006329461.tif 000010
【図９】
2006329461.tif 000011
【図１０】
2006329461.tif 000012
【図１１】
2006329461.tif 000013
【図１２】
2006329461.tif 000014
【図１３】
2006329461.tif 000015